(57)【要約】【課題】使用者が長期にわたって、パズルとして又はインテリアとして十分に楽しむことができる記念品として最適な六面体パズルセットの提供。【解決手段】同一の大きさをした複数の正六面体ブロックと、複数の正六面体ブロックを平面状に密に配列させた状態で収容するための函体を備える六面体パズルセットであって、各正六面体ブロックの６面に部分画像が印刷され、１の正六面体ブロックを構成する６面から１の部分画像を選び出し、全ての正六面体ブロックを組み合わせて平面状にした場合に１つの全体画像が表示され、同様の操作によって６種類の異なる全体画像を表示でき、６種類の全体画像として任意の記念写真及び／又は記念メッセージが表示され、函体が枠部を有する有底の同一形状の２部材からなり、２部材は複数の正六面体ブロックを内部に収容した状態で上下に重ね合せられることで固定された状態で一体化される記念品用の六面体パズルセット。【選択図】図３
0003154089.tif 000002
【実用新案登録請求の範囲】
【請求項１】
同一の大きさをした複数の正六面体ブロックと、該複数の正六面体ブロックを平面状に密に配列させた状態で収容するための函体を備える六面体パズルセットであって、
各正六面体ブロックの６面のそれぞれに部分画像が印刷されており、１の正六面体ブロックを構成する６面から１の部分画像を選び出し、全ての正六面体ブロックを組み合わせて平面状にした場合に１つの全体画像が表示され、かつ、同様の操作によって６種類の異なる全体画像を表示でき、６種類の全体画像として、任意の記念写真及び／又は記念メッセージが表示され、
函体が、枠部を有する有底の同一形状の２部材からなり、該２部材は、複数の正六面体ブロックを内部に収容した状態で上下に重ね合せられることで固定された状態で一体化されることを特徴とする記念品用の六面体パズルセット。
【請求項２】
正六面体ブロック及び函体が、間伐材又は建築の木製端材からなる請求項１に記載の六面体パズルセット。
【請求項３】
記念写真及び／又は記念メッセージが、（公序良俗違反につき、不掲載）が認定する玩具安全基準に適合するインクを用いたインクジェット記録方法で形成されている請求項１又は２に記載の六面体パズルセット。
【考案の詳細な説明】
【技術分野】
【０００１】
本考案は、結婚や卒業などのお祝い事の記念品として所持したり贈呈したりするのに最適な六面体パズルセットに関する。
【背景技術】
【０００２】
従来、結婚、入学、卒業、又は誕生日などの記念日に撮影した写真や、寄せ書きなどのメッセージを、オリジナルのジグソーパズルにして、記念品として、本人が所持したり参加者や当事者などに贈呈したりすることが行われている。このような記念品としてのジグソーパズルは、その後、部屋や玄関などにインテリアとして飾られたり、また、単にパズルとして楽しまれたりされる。
【０００３】
しかしながら、従来知られている、前記したような記念品としてのジグソーパズルは、表示できる画像が、１パターンしかなく変更できないものであるため、インテリアとして長く飾っておいた場合に、新鮮さがなくなり、飽きられてしまうことがあった。これに対し、特許文献１には、別途、代替ピースを準備することで、画像の一部分を入れ替えできるようにし、表示できる画像のパターンを選択できるようにしたものが提案されている。しかし、これも画像全体としての印象を変化させるものではないため、長期にわたってインテリアとして十分楽しめるものとはいえない。
【０００４】
さらに、記念品としてのジグソーパズルを、パズルとして楽しむ場合においても、通常は、１パターンの組み合わせしかないために、１度パズルを完成させてしまうと、面白みが損なわれてしまう問題があった。これに対し、ピースの数を増やしたり、パズル全体の大きさを大きくしたりすることも考えられるが、ピースの数が多すぎるとピース同士の境界線が増加することで画像が不鮮明になりやすく、また、パズル全体を大きくするとインテリアとして設置する場所が限定されるなどの問題が生じる。すなわち、記念品としてのジグソーパズルは、長期にわたって、インテリアとして又はパズルとして十分に楽しむことができるものとはいえなかった。
【０００５】
また一方で、ジグソーパズル以外にも、同一の大きさをした、構成ピースである正六面体ブロックの各面を組み合わせることで１の絵柄が表示されるようにした六面体パズルからなるパズルゲームが知られている（特許文献２参照）。このような六面体パズルは、組み合わせる絵柄が、横を向いていたり、裏返っていたりすることもあるため、ジグソーパズルと違い、ある程度の大きさで適度な困難性を備えることができる。しかしながら、従来知られている六面体パズルは、いずれも、幼児教育に用いられたり、単にパズルとして楽しんだりするためのものであり、その絵柄は動物や静物であって、記念写真や記念メッセージではなかった。すなわち、思い出を共有し、インテリアとしても楽しむといった観点のものではなかった。
【０００６】
上記したように、六面体パズルを記念写真や記念メッセージを表示するインテリアとして利用することは行われていなかったため、飾ることを前提とした形状にはなってはいなかった。また、従来の六面体パズルにおいて、構成ピースである正六面体ブロックを、収納する函体内で動かしながら楽しむことができるものとしては、例えば、特許文献２に記載のパズルゲームのように、正六面体ブロックの待機場所を別途設けたものが知られている。しかし、このような待機場所を設けた場合には、正六面体ブロックを動き易くすることが前提となっているため、複数の六面体パズルを特定の状態に長期にわたって安定に固定する必要のあるインテリアとして使用するのに好適であるとはいえなかった。
【先行技術文献】
【特許文献】
【０００７】
【特許文献１】実用新案登録第３１２０７７７号公報
【特許文献２】実用新案登録第３０７０７１８号公報
【考案の概要】
【考案が解決しようとする課題】
【０００８】
すなわち、本考案は、使用者が長期にわたって、パズルとしても、又は、記念写真や記念メッセージを表示するインテリアとしても十分に楽しむことができる、記念品として最適な六面体パズルセットを提供することにある。
【課題を解決するための手段】
【０００９】
上記の目的は、以下の本考案によって達成される。すなわち、本考案は、同一の大きさをした複数の正六面体ブロックと、該複数の正六面体ブロックを平面状に密に配列させた状態で収容するための、函体を備える六面体パズルセットであって、各正六面体ブロックの６面のそれぞれに部分画像が印刷されており、１の正六面体ブロックを構成する６面から１の部分画像を選び出し、全ての正六面体ブロックを組み合わせて平面状にした場合に１つの全体画像が表示され、かつ、同様の操作によって６種類の異なる全体画像を表示でき、６種類の全体画像として、任意の記念写真及び／又は記念メッセージが表示され、函体が、枠部を有する有底の同一形状の２部材からなり、該２部材は、複数の正六面体ブロックを内部に収容した状態で上下に重ね合せられることで固定された状態で一体化されることを特徴とする記念品用の六面体パズルセットである。
【００１０】  また、本考案の六面体パズルセットは、正六面体ブロック及び函体が、間伐材又は建築の木製端材からなることが好ましい。また、本考案の六面体パズルセットは、記念写真及び／又は記念メッセージが、（公序良俗違反につき、不掲載）が認定する玩具安全基準に適合するインクを用いたインクジェット記録方法で形成されていることが好ましい。
【考案の効果】
【００１１】
本考案によれば、使用者が長期にわたって、パズルとして、又は、記念写真や記念メッセージを表示するインテリアとして、十分に楽しむことができる記念品として最適な六面体パズルセットが提供される。
【図面の簡単な説明】
【００１２】
【図１】本考案の六面体パズルセットの一実施形態を示す斜視図であり、函体の上側部材を取り外した状態を示す図である（なお、正六面体ブロックの表面に形成される画像は省略している）。
【図２】本考案の六面体パズルセットの一実施形態を示す平面図であり、函体の上側部材を取り付けた状態を示す図である。
【図３】本考案の六面体パズルセットの一実施形態を示す平面図であり、函体の上側部材を取り外した状態を示す図である（記念写真を表示）。
【図４】本考案の六面体パズルセットの一実施形態を示す平面図であり、函体の上側部材を取り外した状態を示す図である（記念メッセージを表示）。
【考案を実施するための形態】
【００１３】
以下に、図面を参照しながら本考案を詳細に説明する。
本考案の六面体パズルセットは、図１に示すとおり、同一の大きさをした複数の正六面体ブロック１１からなる六面体パズルの部分と、該複数の正六面体ブロック１１を平面状に密に配列させた状態で収容するための２部材から構成される函体２１とからなるものである。いずれも、材質に関しては、特に制限はないが、木質とすることで、安全性に優れたものとなり、ぬくもり感も生じるため、例えば、老人や幼児を対象とする場合においても好適となる。さらに、その中でも、間伐材や、建築の木製端材を使用することが、環境の面からも特に好ましい。
【００１４】
本考案を構成する複数の正六面体ブロック１１は、それぞれ同一の大きさをしていれば、その大きさに特に制限はなく、例えば、一辺を１０〜５０ｍｍとしたものを用いることができる。また、本考案に使用する正六面体ブロック１１の数も制限されないが、例えば、４〜４２個とすることができる。また、正六面体ブロック１１の配列は、全体画像を表示する際、図１、図３又は図４に示すような、長方形状となるように配列されることが好ましく、この場合、全体画像を最も効率よく表示させることが可能となる。さらに、本考案においては、パズルとしての適度な困難性と、インテリアとしての装飾性や設置条件などを考慮すると、１辺が２５〜３５ｍｍの正六面体ブロック１１が、縦５〜６列、横４〜５行、長方形状に配列されてなるものであることが好ましい。すなわち、この範囲の大きさや数とした場合、本考案の六面体パズルセット１は、インテリアとして適度な大きさとなり、また、設置する場所も適宜選択できるものとなる。また、正六面体ブロック１１同士の境界線もそれ程多くならないため、表示される全体画像が不鮮明となりにくい。さらに、正六面体ブロック１１の数も２０〜３０の範囲となるため、パズルとして楽しむ場合にも十分な困難性を確保できる。
【００１５】
また、本考案において、各正六面体ブロック１１の６面のそれぞれには、図３に示すように、部分画像１１ａが印刷されている。そして、１の正六面体ブロック１１を構成する６面から１の部分画像１１ａを選び出し、全ての正六面体ブロック１１を組み合わせて平面状にした場合に、図３又は図４に示すような１つの全体画像が表示されるようになっている。さらに、正六面体ブロック１１の他の面も、同様の操作によって全体画像が表示されるようになっており、全部で６種類の異なる全体画像が表示できるようになっている。すなわち、本考案の六面体パズルセット１は、正六面体ブロック１１を、横に移動させたり、回転させたりしながら、全体画像が表示されるように配列させる六面体パズルとして楽しめるようになっている。
【００１６】
そして、本考案の六面体パズルセット１の特徴の一つは、前記した６種の異なる全体画像として、図３又は図４に示すような、任意の記念写真及び／又は記念メッセージが表示されていることにある。また、記念写真や記念メッセージとしては、結婚や卒業などの個人的なお祝い事や、創立記念などの企業内でのイベント事に関する、写真や寄せ書きなど、様々なものを適用できる。また、写真や寄せ書きなどにさらに絵柄模様を施したものを適用してもよい。本考案の六面体パズルセット１は、このように記念写真や記念メッセージを全体画像として表示するものであるため、記念品として好適である。すなわち、本考案の六面体パズルセット１は、記念写真や記念メッセージを表示させた状態でインテリアとして飾っておくことができる。そして、これらの記念写真や記念メッセージは、趣味や気分さらには部屋の雰囲気により、適宜変更することができるため、使用者は飽きることなく、長期にわたって思い出を共有しながらインテリアとして楽しむことができる。また、パズルとして使用する場合においても、表示される全体画像が、単なる動物や静物ではなく、自己やその関係者に関するものであるため、興味を損なわずに長く楽しむことができる。本考案においては、６種の異なる全体画像の組み合わせとして、様々な組み合わせが考えられるが、例えば、５つの異なる記念写真と、１つの記念メッセージとを組み合わせて、１つのかたちとしたものが、記念品としてのバランスも良く好適である。
【００１７】  本考案において、正六面体ブロック１１に画像を印刷する方法は、特に制限はないが、例えば、以下のような方法を用いることができる。先ず、６面が無地の正六面体ブロックをパズルに必要な数だけ用意する。次に、用意した無地の正六面体ブロックを、六面体パズルを完成させたときの形状となるように配列した後、配列した正六面体ブロック上面に任意の記念写真又は記念メッセージを印刷する。次に、これらの正六面体ブロックを、無地の面が上面となるように配列しなおした後、再度、任意の別の記念写真又は記念メッセージを印刷する。そして、この一連の作業を繰り返すことで、正六面体ブロック１１の各面に部分画像１１ａが印刷されており、かつ、１の正六面体ブロック１１を構成する６面から１の部分画像１１ａを選び出し、全ての正六面体ブロック１１を組み合わせて平面状にした場合に、１つの記念写真又は記念メッセージからなる全体画像が表示される六面体パズルが得られる。また、オーダーメイド的に生産される記念品としての使用を考慮すると、印刷方式は、小ロットで素早く、高品質な画像が印刷できるインクジェット記録方法が好適である。また、印刷に使用するインクは、（公序良俗違反につき、不掲載）が認定する玩具安全基準（ＳＴ基準）に適合したインクであることが好ましい。すなわち、本考案の六面体パズル１は、子供や老人に使用される場合も十分に考えられることから、より安全性の高いインクを使用することが好ましい。
【００１８】
本考案において、函体２１は、図１に示すとおり、枠部２２を有する有底の同一形状の２部材から構成される。そして、該２部材は、図１に示すとおり、複数の正六面体ブロック１１を内部に収容した状態で上下に重ね合わせることで固定された状態で一体化される。すなわち、正六面体ブロック１１を収容し、かつ、函体２１を構成する２部材を上下に重ね合わせた場合には、該２部材が横ズレしたり、収容された正六面体ブロック１１が函体２１内部で動いてガタガタしたりしないようになっている。より具体的には、函体２１を構成する２部材は、その枠部２２の高さの合計が、正六面体ブロック１１の高さとほぼ一致するように形成されている。そして、該２部材の各々の枠部２２の高さは、図１に示すとおり、正六面体ブロック１１の高さよりも低くなっており、該２部材同士の合わせ部分と、収容されている正六面体ブロック１１の側面中央部とが、同じ高さ位置となるように構成されている。すなわち、函体２１の側面に衝撃が加わったとしても、該２部材は、函体２１に収容されている正六面体ブロック１１の側面部分で動きが制止される状態となっており、横ズレが生じない。また、該２部材に、正六面体ブロック１１は、密に配列されているため、左右の振動に対し、函体２１に収容されている正六面体ブロック１１がガタガタすることがない。さらに、前記したように、正六面体ブロック１１の高さと、函体２１の枠部２２の高さの合計は、ほぼ一致するように形成されていることから、上下の振動に対しも、函体２１に収容されている正六面体ブロック１１がガタガタすることがない。なお、本考案においては、さらに該２部材を連結する蝶番などを取り付けていてもよい。
【００１９】
函体２１を構成する２部材において、下側に位置することとなる下側部材２１（ｂ）は、図３又は図４に示すように、正六面体ブロック１１を密に配列させた状態で収め、上面側において全体画像の１が表示できるように構成されている。このため、本考案の六面体パズルセット１は、このように正六面体ブロック１１を下側部材２１（ｂ）に収めた状態のまま、壁に立て掛けるなどして、設置できるようになっている。また、下側部材２１（ｂ）の背面（正六面体ブロック１１を収容する側と反対側の面）に支持脚を取り付けることにより、写真立てのように、台上に傾斜させて設置できるようにしてもよい。すなわち、下側部材２１（ｂ）は、インテリアとして使用されることが前提の形状となっており、六面体パズルの部分を特定の状態に長期間安定に固定して飾っておくことが可能である。また、本考案において、下側部材２１（ｂ）は、前記したように、枠部２２の高さ位置が、収容されている正六面体ブロック１１の高さ位置よりも低く形成されているため、下側部材２１（ｂ）の端部分に収容されている正六面体ブロック１１を、その側面側から手で簡単に操作することが可能である（図１参照）。すなわち、下側部材２１（ｂ）内に正六面体ブロック１１を収容した状態のまま、パズルを楽しめるようになっている。そして、わざわざ正六面体ブロック１１の全部を、下側部材２１（ｂ）より外に取り出してから、パズルを始める必要がないため、正六面体ブロック１１が紛失したりすることも有効に防止できる。また、本考案においては、六面体パズルのヒントとなるように、下側部材２１（ｂ）の底面２３には、前記した全体画像の１つと同様の画像を印刷してもよいし、また、別の画像や絵柄模様などを印刷してもよい。
【００２０】
本考案において、函体２１を構成する２部材の一つであり、前記下側部材２１（ｂ）の対となる上側部材２１（ａ）は、主に蓋材として機能するものである。そして、その背面（正六面体ブロック１１を収容する側と反対側の面）に、図２に示すような、前記した全体画像の１つと同様の画像を印刷してもよいし、また、別の画像や絵柄模様などを印刷してもよい。なお、函体２１に使用する印刷方法としては、前記と同様に、インクジェット記録方法を用いることが好ましい。
【００２１】
以上説明したとおり、本考案の六面体パズルセット１は、記念写真や記念メッセージを表示させた状態で、インテリアとして、部屋や玄関などのあらゆる場所に好適に設置することができるものである。そして、本考案の六面体パズルセット１の設置方法は、特に制限はないが、例えば、上側部材２１（ａ）を取り外した状態で、壁に立て掛ける方法や、台上に平面状に設置する方法が挙げられる。また、下側部材２１（ｂ）の背面に支持脚を取り付けることにより、台上に写真立てのように傾斜させて設置させることもできる。また、壁にぶら下げるような構成とし、設置することも可能である。また、上側部材２１（ａ）の背面に、画像や絵柄模様を表示させている場合は、上側部材２１（ａ）が取り付けられた状態で設置してもよい。
【産業上の利用可能性】
【００２２】
本考案の六面体パズルセット１は、使用者が長期にわたって、パズルとして、又は、記念写真や記念メッセージを表示するインテリアとして、十分に楽しむことができるものである。そして、本考案の六面体パズルセット１は、結婚、入学、卒業、誕生日、還暦又は創立記念などのお祝い事の記念品として、本人が所持したり、家族、友人又は社員などに贈呈したりするものとして最適である。
【符号の説明】
【００２３】
１：六面体パズルセット
１１：正六面体ブロック
１１ａ：部分画像
２１：函体
２１ａ：上側部材
２１ｂ：下側部材
２２：枠部
２３：底
【図１】
0003154089.tif 000003
【図２】
0003154089.tif 000004
【図３】
0003154089.tif 000005
【図４】
0003154089.tif 000006
【手続補正書】
【提出日】平成21年7月23日(2009.7.23)
【手続補正１】
【補正対象書類名】実用新案登録請求の範囲
【補正対象項目名】全文
【補正方法】変更
【補正の内容】
【実用新案登録請求の範囲】
【請求項１】
同一の大きさをした複数の正六面体ブロックと、該複数の正六面体ブロックを平面状に密に配列させた状態で収容するための函体を備える六面体パズルセットであって、
各正六面体ブロックの６面のそれぞれに部分画像が印刷されており、１の正六面体ブロックを構成する６面から１の部分画像を選び出し、全ての正六面体ブロックを組み合わせて平面状にした場合に１つの全体画像が表示され、かつ、同様の操作によって６種類の異なる全体画像を表示でき、６種類の全体画像として、任意の記念写真及び／又は記念メッセージが表示され、
函体が、枠部を有する有底の同一形状の２部材からなり、該２部材は、複数の正六面体ブロックを内部に収容した状態で上下に重ね合せられることで固定された状態で一体化されることを特徴とする記念品用の六面体パズルセット。
【請求項２】
正六面体ブロック及び函体が、間伐材又は建築の木製端材からなる請求項１に記載の六面体パズルセット。
【手続補正２】
【補正対象書類名】明細書
【補正対象項目名】００１０
【補正方法】変更
【補正の内容】
【００１０】
また、本考案の六面体パズルセットは、正六面体ブロック及び函体が、間伐材又は建築の木製端材からなることが好ましい。
【手続補正３】
【補正対象書類名】明細書
【補正対象項目名】００１７
【補正方法】変更
【補正の内容】
【００１７】
本考案において、正六面体ブロック１１に画像を印刷する方法は、特に制限はないが、例えば、以下のような方法を用いることができる。先ず、６面が無地の正六面体ブロックをパズルに必要な数だけ用意する。次に、用意した無地の正六面体ブロックを、六面体パズルを完成させたときの形状となるように配列した後、配列した正六面体ブロック上面に任意の記念写真又は記念メッセージを印刷する。次に、これらの正六面体ブロックを、無地の面が上面となるように配列しなおした後、再度、任意の別の記念写真又は記念メッセージを印刷する。そして、この一連の作業を繰り返すことで、正六面体ブロック１１の各面に部分画像１１ａが印刷されており、かつ、１の正六面体ブロック１１を構成する６面から１の部分画像１１ａを選び出し、全ての正六面体ブロック１１を組み合わせて平面状にした場合に、１つの記念写真又は記念メッセージからなる全体画像が表示される六面体パズルが得られる。また、オーダーメイド的に生産される記念品としての使用を考慮すると、印刷方式は、小ロットで素早く、高品質な画像が印刷できるインクジェット記録方法が好適である。また、印刷に使用するインクは、玩具安全基準（ＳＴ基準）に適合したインクであることが好ましい。すなわち、本考案の六面体パズル１は、子供や老人に使用される場合も十分に考えられることから、より安全性の高いインクを使用することが好ましい。